(57)【要約】      （修正有）【課題】２７０°範囲内の各角度で均一に発光する効果を達成する全方向型ＬＥＤランプを提供する。【解決手段】ランプホルダー１、ランプ体２、駆動回路３、ＬＥＤランプボード４、散熱体５、立面光反射柱６、カバー７を備える。ランプホルダー１はランプ体２の下端に固定し、散熱体５はランプ体２中に固定し、駆動回路３は散熱体５中に固定される。立面光反射柱６は光反射台６１と４個の光反射曲面６２を備え、光反射曲面６２は光反射台６１上に対称に直立し、光反射台６１は散熱体５上に固定される。ＬＥＤランプボード４は４個の光反射曲面６２間に挿入して設置され、ＬＥＤランプボード４は駆動回路３を通して、ランプホルダー１と連接し、カバー７はＬＥＤランプボード４と立面光反射柱６上を覆い、ランプ体２の上端に溶接される。【選択図】図１
0003179327.tif 000002
【実用新案登録請求の範囲】
【請求項１】
ランプホルダー、ランプ体、駆動回路、ＬＥＤランプボード、散熱体、立面光反射柱、カバーを備える、全方向型 LEDランプであって、
前記ランプホルダーは、前記ランプ体の下端に固定され、
前記散熱体は、前記ランプ体中に固定され、
前記駆動回路は、前記散熱体中に固定され、
前記立面光反射柱は、光反射台と４個の光反射曲面を備え、前記４個の光反射曲面は、前記光反射台上に対称的に直立し、前記光反射台は、前記散熱体上に固定され、
前記ＬＥＤランプボードは、前記立面光反射柱の４個の光反射曲面の間に挿入して設置され、前記ＬＥＤランプボードは、前記駆動回路を通して、前記ランプホルダーと連接し、
前記カバーは、前記ＬＥＤランプボードと前記立面光反射柱上を覆い、前記ランプ体の上端に溶接されることを特徴とする全方向型ＬＥＤランプ。
【請求項２】
前記ＬＥＤランプボードは、ＭＣＰＣＢ(Ｍｅｔａｌ  Ｃｏｒｅ ＰＣＢ)と複数のＬＥＤにより構成され、前記複数のＬＥＤは、前記ＭＣＰＣＢの両面上に連接されることを特徴とする請求項１に記載の全方向型ＬＥＤランプ。
【請求項３】
前記４個の光反射曲面は、前記ＬＥＤランプボードに対応し、光反射弧面を形成することを特徴とする請求項１に記載の全方向型ＬＥＤランプ。
【請求項４】
前記ランプ体の下端には、環状溝と凸ほぞを下向きに形成し、前記ランプホルダーは、前記ランプ体の下端外部に緊密に固定され、前記散熱体の下端には、下係合溝を形成し、前記散熱体の下端は、前記ランプ体内の環状溝中に挿入して設置され、しかも前記凸ほぞは、前記下係合溝中に係合し、これにより、前記散熱体は、前記ランプ体中に固定されることを特徴とする請求項１に記載の全方向型ＬＥＤランプ。
【請求項５】
前記散熱体の頂点面にはさらに、凸台を形成し、前記凸台側壁上には、上係合溝を形成し、前記立面光反射柱の光反射台周辺には、嵌合リングを下向きに形成し、前記嵌合リング内側には、凸粒を形成し、前記光反射台の嵌合リングを、前記凸台上に嵌合し、しかも前記凸粒は、前記上係合溝中に係合され、これにより、前記立面光反射柱は、前記散熱体上に固定されることを特徴とする請求項１に記載の全方向型ＬＥＤランプ。
【請求項６】
前記散熱体の頂点面の対応接続位置には、挿入スリットを形成し、前記立面光反射柱の光反射台は、前記散熱体の挿入スリットに対応し、挿入溝を形成し、前記駆動回路は、前記散熱体中に位置し、前記ＬＥＤランプボードの下端は、前記挿入溝と前記挿入スリットとを通過し、前記散熱体中に進入し、前記ＬＥＤランプボードの下端は、ネジにより、前記散熱体の頂点面上に固定され、前記ＬＥＤランプボードの下端はさらにネジにより、前記駆動回路と固定することを特徴とする請求項１に記載の全方向型ＬＥＤランプ。
【請求項７】
前記散熱体は、左半部と右半部が連接部品により嵌合して構成されることを特徴とする請求項１に記載の全方向型ＬＥＤランプ。
【請求項８】
前記散熱体は、左半部と右半部が嵌合後に、ネジにより固定して構成されることを特徴とする請求項１に記載の全方向型ＬＥＤランプ。
【考案の詳細な説明】
【技術分野】
【０００１】
本考案はＬＥＤランプに関し、特に全方向型ＬＥＤランプに関する。
【背景技術】
【０００２】
従来の技術において、ＬＥＤランプは、ランプホルダー、ランプ体、駆動回路、ＬＥＤランプボード、散熱体、カバーにより構成される。ランプホルダーはランプ体の下端に固定され、ランプ体上端は、散熱体内に嵌めて入れる。駆動回路は、ランプ体中に設置する。ＬＥＤランプボードは、散熱体上に設置し、駆動回路を通して、ランプホルダーと連接する。カバーは、ＬＥＤランプボード上を覆い、散熱体の上端に設置する。作動時には、ＬＥＤランプボード上のＬＥＤに通電して発光し、光線はカバーを通り、照明を実現する。
【０００３】
上記したＬＥＤランプの発光角度は、およそ１２０°で、照射範囲が狭く、光の利用率が低い。
本考案は、従来のＬＥＤランプの上記した欠点に鑑みてなされたものである。
【先行技術文献】
【特許文献】
【０００４】
【特許文献１】なし
【考案の概要】
【考案が解決しようとする課題】
【０００５】
本考案が解決しようとする課題は、２７０°範囲内で均一発光の効果を達成し、０°〜１３５°範囲内（垂直軸対称）のあらゆる角度の間における光強度の差異は２０%を超えず、しかも１３５°〜１８０°の区間で少なくとも５%の総光通過量の光照射効果を有する全方向型 ＬＥＤランプを提供することである。
【課題を解決するための手段】
【０００６】
上記課題を解決するため、本考案は下記の全方向型ＬＥＤランプを提供する。
全方向型ＬＥＤランプは、は、ランプホルダー、ランプ体、駆動回路、ＬＥＤランプボード、散熱体、立面光反射柱、カバーを備え、
該ランプホルダーは、該ランプ体の下端に固定し、
該散熱体は、該ランプ体中に固定し、
該駆動回路は、該散熱体中に固定され、
該立面光反射柱は、光反射台と４個の光反射曲面を備え、該４個の光反射曲面は、該光反射台上に対称的に直立し、該光反射台は、該散熱体上に固定され、
該ＬＥＤランプボードは、該立面光反射柱の４個の光反射曲面の間に挿入して設置され、該ＬＥＤランプボードは、該駆動回路を通して、該ランプホルダーと連接し、
該カバーは、該ＬＥＤランプボードと該立面光反射柱上を覆い、該ランプ体の上端に溶接され、
該ＬＥＤランプボードは、ＭＣＰＣＢ(金属芯印刷回路板、Ｍｅｔａｌ Ｃｏｒｅ
ＰＣＢ)と若干のＬＥＤにより構成され、該若干のＬＥＤは、該ＭＣＰＣＢの両面上に連接され、
該４個の光反射曲面は、ＬＥＤランプボードに対応し、光反射弧面を形成し、
該ランプ体の下端には、環状溝と凸ほぞを下向きに形成し、該ランプホルダーは、該ランプ体の下端外部に緊密に固定され、該散熱体の下端には、下係合溝を形成し、該散熱体の下端は、該ランプ体内の環状溝中に挿入して設置され、しかも該凸ほぞは、該下係合溝中に係合し、これにより該散熱体は、該ランプ体中に固定され、
該散熱体の頂点面にはさらに、凸台を形成し、該凸台側壁上には、上係合溝を形成し、該立面光反射柱の光反射台周辺には、嵌合リングを下向きに形成し、該嵌合リング内側には、凸粒を形成し、該光反射台の嵌合リングを、該凸台上に嵌合し、しかも該凸粒は、該上係合溝中に係合され、これにより該立面光反射柱は、該散熱体上に固定され、
該散熱体の頂点面の対応接続位置には、挿入スリットを形成し、該立面光反射柱の光反射台は、該散熱体の挿入スリットに対応し、挿入溝を形成し、
該駆動回路は、該散熱体中に位置し、
該ＬＥＤランプボードの下端は、該挿入溝と該挿入スリットとを通過し、該散熱体中に進入し、該ＬＥＤランプボードの下端は、ネジにより、該散熱体の頂点面上に固定され、該ＬＥＤランプボードの下端はさらにネジにより、駆動回路と固定し、
該散熱体は、左半部と右半部が連接部品の嵌合を通して構成され、或いは該散熱体は、左半部と右半部が嵌合後に、ネジにより固定し構成され、
本考案の作動時には、該ＬＥＤランプボード上のＬＥＤに通電し発光し、光線は該光反射曲面及び該光反射台の反射を経て、２７０°範囲内の各角度で均一に発光する効果を達成し、即ち、０°〜１３５°範囲内(垂直軸対称)のあらゆる角度の間における光強度の差異は２０%を超えず、しかも１３５°〜１８０°の区間で少なくとも５%の総光通過量の光照射を有する。
本考案は照射範囲を拡大し、光の利用率を大幅に高めることができる。
【考案の効果】
【０００７】
本考案の全方向型ＬＥＤランプは２７０°範囲内で均一発光の効果を達成し、０°〜１３５°範囲内(垂直軸対称)のあらゆる角度の間における光強度の差異は２０%を超えず、しかも１３５°〜１８０°の区間で少なくとも５%の総光通過量の光照射効果を有する。
【図面の簡単な説明】
【０００８】
【図１】本考案の立体分解図である。
【図２】本考案の組合せ外観図である。
【図３】本考案の組合せ断面図である。
【図４】本考案側視の反射模式図である。
【図５】本考案俯瞰の反射模式図(垂直中心軸の平面３６０°発光模式図)である。
【図６】本考案の光分布図である。
【考案を実施するための形態】
【０００９】
以下に、図面を参照しながら、本考案を実施するための最良の形態について詳細に説明する。
【００１０】
図１〜３に示すように、本考案全方向型ＬＥＤランプは、ランプホルダー１、ランプ体２、駆動回路３、ＬＥＤランプボード４、散熱体５、立面光反射柱６、カバー７を備える。
【００１１】
ランプホルダー１は、ランプ体２の下端に固定する。本実施例では、緊密に対応させることで、ランプホルダー１を、ランプ体２の下端外部に緊密に固定する。
【００１２】
散熱体５は、ランプ体２中に固定する。組み立ての便のため、本実施例では、ランプ体２の下端に、環状溝２１と凸ほぞ２２を下向きに形成する。散熱体５の下端には、下係合溝５１を形成する。散熱体５の下端は、環状溝２１中に挿入して設置し、しかも凸ほぞ２２は、下係合溝５１中に係合する。これにより、散熱体５は、ランプ体２中に固定される。組み立ての便のため、本実施例では、散熱体５は、左半部５５と右半部５６が連接部品の嵌合を通して構成され、或いは散熱体は、左半部と右半部が嵌合後に、ネジにより固定し構成される。
【００１３】
立面光反射柱６は、光反射台６１と４個の光反射曲面６２を備える。４個の光反射曲面６２は、光反射台６１上に対称的に直立し、光反射台６１は、散熱体５上に固定される。組み立ての便のため、本実施例では、散熱体５の頂点面には、凸台５２を形成する。凸台５２側壁上には、上係合溝５３を形成する。立面光反射柱６の光反射台６１周辺には、嵌合リング６３を下向きに形成する。嵌合リング６３内側には、凸粒６４を形成する。嵌合リング６３は、凸台５２上に嵌合され、しかも凸粒６４は、上係合溝５３中に係合される。これにより、立面光反射柱６全体は、散熱体５上に固定される。駆動回路３は、散熱体５中に固定される。
【００１４】
ＬＥＤランプボード４は、立面光反射柱６の４個の光反射曲面６２の間に挿入して設置する。ＬＥＤランプボード４は、駆動回路３と連接し、駆動回路３を通して、ランプホルダー１と連接する。本実施例では、ＬＥＤランプボード４は、ＭＣＰＣＢ４１(金属芯印刷回路板、Ｍｅｔａｌ  Ｃｏｒｅ  ＰＣＢ)と若干のＬＥＤ４２により組成する。若干のＬＥＤ４２は、ＭＣＰＣＢ４１の両面上に連接する。
【００１５】
発光率を高めるため、本実施例の４個の光反射曲面６２は、ＬＥＤランプボード４に対応し、光反射弧面を形成する。組み立ての便のため、本実施例では、散熱体５の頂点面の対応接続位置には、挿入スリット５４を形成する。光反射台６１は、散熱体５の挿入スリット５４に対応し、挿入溝６５を形成する。駆動回路３は、散熱体５中に位置する。ＬＥＤランプボード４の下端は、挿入溝６５と挿入スリット５４とを通過し、散熱体５中に進入する。ＬＥＤランプボード４の下端は、ネジ８により、散熱体５の頂点面上に固定され、ＬＥＤランプボード４の下端はさらに、ネジ８により、駆動回路５と固定され、これにより、駆動回路３は、散熱体５中に固定される。
【００１６】
カバー７は、ＬＥＤランプボード４と立面光反射柱６上を覆い、ランプ体２の上端に溶接される。
【００１７】
本考案の作動時には、ＬＥＤランプボード４上のＬＥＤ４２に通電し発光する。図４と図５に示すように、光線は、４個の光反射曲面６２と光反射台６１による反射を経て、２７０°範囲内で各角度均一に発光する効果を形成し、全方向型照明を実現する。図６に示すように、０°〜１３５°範囲内(垂直軸対称)のあらゆる角度の間における光強度の差異は２０%を超えず、しかも１３５°〜１８０°の区間で少なくとも５%の総光通過量の光照射を有する。図５には、光線が４個の光反射曲面６２を通過し、平面３６０°ハロー効果を達成する様子を示す。
【００１８】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００１９】
本考案は実用新案の登録要件である新規性を備え、従来の同類製品に比べ十分な進歩性を有し、実用性が高く、社会のニーズに合致しており、産業上の利用価値は非常に大きい。
【符号の説明】
【００２０】
１：ランプホルダー
２：ランプ体
２１：環状溝
２２：凸ほぞ
３：駆動回路
４：ＬＥＤランプボード 
４１：ＭＣＰＣＢ 
４２：ＬＥＤ
５：散熱体
５１：下係合溝
５２：凸台
５３：上係合溝
５４：挿入スリット
５５：左半部
５６：右半部
６：立面光反射柱
６１：光反射台
６２：光反射曲面
６３：嵌合リング
６４：凸粒
６５：挿入溝
７：カバー
８：ネジ
【図１】
0003179327.tif 000003
【図２】
0003179327.tif 000004
【図３】
0003179327.tif 000005
【図４】
0003179327.tif 000006
【図５】
0003179327.tif 000007
【図６】
0003179327.tif 000008